(57)【要約】【課題】各第１原稿の画像を情報処理装置から画像形成装置へと送受し、各第１原稿の頁に対して画像形成装置の画像読取部で読み取られた第２原稿の頁を挿入して、これらの画像をそれぞれの記録紙に画像形成する。【解決手段】画像形成装置１０は、情報処理装置３０からの印刷データを受信する通信部１６と、第２原稿の画像を読み取る画像読取部１７と、原稿の画像を記録紙に画像形成する画像形成部１８と、第２原稿の頁を印刷データによって示される挿入位置に挿入させてなる頁順序に従って、印刷データによって示される各第１原稿の画像及び画像読取部１７で読み取られた第２原稿の画像を画像形成部１８でそれぞれの記録紙に順次形成させる制御部２１と、を備える。【選択図】図１
2018064213.tif 000002
【特許請求の範囲】
【請求項１】
画像形成装置と、前記画像形成装置にネットワークを通じて接続される情報処理装置とを備える画像形成システムであって、
前記情報処理装置は、
ユーザーにより操作されて、複数の第１原稿のいずれかの頁間を第２原稿の頁の挿入位置として受け付ける入力部と、
少なくとも前記各第１原稿を示す画像と、前記挿入位置を示す情報とを有する印刷データを生成する第１制御部と、
前記印刷データを、前記ネットワークを通じて前記画像形成装置に送信する第１通信部と、を備え、
前記画像形成装置は、
前記印刷データを受信する第２通信部と、
前記第２原稿の画像を読み取る画像読取部と、
原稿の画像を記録紙に画像形成する画像形成部と、
前記第２原稿の頁を前記印刷データが示す前記挿入位置に挿入させてなる頁順序に従って、前記印刷データが示す前記各第１原稿の画像及び前記画像読取部で読み取られた前記第２原稿の画像の各画像を、前記画像形成部によりそれぞれ異なる記録紙に順次形成させる第２制御部と、を備える画像形成システム。
【請求項２】
前記情報処理装置では、
前記入力部が、前記挿入位置に挿入される第２原稿の挿入枚数を受付け、
前記第１制御部は、前記第１原稿を示す画像、前記挿入位置を示す情報、及び前記挿入枚数を示す情報を有する印刷データを生成して、当該印刷データを前記第１通信部から前記ネットワークを通じて前記画像形成装置に送信させ、
前記画像形成装置では、
前記第２制御部が、前記第２通信部で受信される前記印刷データが示す前記挿入枚数の前記第２原稿の頁を前記印刷データが示す前記挿入位置に挿入させてなる頁順序に従って、前記印刷データが示す前記各第１原稿の画像及び前記画像読取部で読み取られた前記第２原稿の画像を、前記画像形成部によりそれぞれ異なる記録紙に順次形成させる請求項１に記載の画像形成システム。
【請求項３】
前記情報処理装置では、
前記入力部が、前記挿入位置を複数受付けると共に、これらの挿入位置別に、挿入位置に挿入される第２原稿の挿入枚数を受付け、
前記第１制御部は、前記各第１原稿の画像、前記各挿入位置を示す情報、及び前記各挿入位置別に受付けられた前記挿入枚数を示す情報を有する印刷データを生成して、前記印刷データを前記第１通信部から前記ネットワークを通じて前記画像形成装置に送信させ、
前記画像形成装置では、
前記第２制御部は、前記第２通信部によって受信される前記印刷データが示す前記各挿入位置別に、前記印刷データによって示される前記挿入枚数の第２原稿の頁を、前記印刷データが示す前記挿入位置に挿入させてなる頁順序に従って、前記印刷データが示す前記各第１原稿の画像及び前記画像読取部で読み取られた前記第２原稿の画像を、前記画像形成部によりそれぞれ異なる記録紙に順次形成させる請求項１に記載の画像形成システム。
【請求項４】
前記情報処理装置では、
前記入力部が、前記挿入位置に挿入される前記第２原稿の挿入枚数として不定数を受付け、
前記第１制御部は、前記各第１原稿の画像、前記挿入位置を示す情報、及び前記不定数を示す情報を有する印刷データを生成して、前記印刷データを前記第１通信部から前記ネットワークを通じて前記画像形成装置に送信させ、
前記画像形成装置では、
前記第２制御部は、前記第２通信部によって受信される前記印刷データが示す前記不定数として、前記画像読取部にセットされている全ての第２原稿の画像を画像読取部で読み取らせて、当該読み取らせた全ての第２原稿の頁を前記印刷データが示す前記挿入位置に挿入させてなる頁順序に従って、前記印刷データが示す前記各第１原稿の画像及び前記画像読取部で読み取られた前記全ての第２原稿の画像を、前記画像形成部によりそれぞれ異なる記録紙に順次形成させる請求項１に記載の画像形成システム。
【請求項５】
前記情報処理装置では、
前記入力部が、同一の第２原稿の頁が繰り返し挿入されるそれぞれの挿入位置を受付け、
前記第１制御部は、前記各第１原稿の画像及び前記各挿入位置を示す情報を有する印刷データを生成して、前記印刷データを前記第１通信部から前記ネットワークを通じて前記画像形成装置に送信させ、
前記画像形成装置では、
前記第２制御部は、前記第２通信部によって受信される前記印刷データが示す前記各挿入位置に同一の第２原稿の頁を繰り返し挿入させてなる頁順序に従って、前記印刷データによって示される前記各第１原稿の画像及び前記画像読取部で読み取られた前記第２原稿の画像を、前記画像形成部によりそれぞれ異なる記録紙に順次形成させる請求項１に記載の画像形成システム。
【請求項６】
前記情報処理装置では、
前記入力部が、一定の頁数の第１原稿からなるグループにおける前記挿入位置を受付け、
前記第１制御部は、前記各第１原稿の画像、前記一定の頁数を示す情報、及び前記グループにおける前記挿入位置を示す情報を有する印刷データを生成して、前記印刷データを前記第１通信部から前記ネットワークを通じて前記画像形成装置に送信させ、
前記画像形成装置では、
前記第２制御部は、前記第２通信部によって受信される前記印刷データが示す前記一定の頁数の第１原稿毎に、前記第２原稿の頁を前記印刷データによって示される前記グループにおける前記挿入位置に挿入させてなる頁順序に従って、前記印刷データによって示される前記各第１原稿の画像及び前記画像読取部で読み取られた前記第２原稿の画像を、前記画像形成部によりそれぞれ異なる記録紙に順次形成させる請求項１に記載の画像形成システム。
【請求項７】
前記第２制御部は、前記画像形成部に、前記第２原稿の画像を記録紙に形成する際に、前記第２原稿の画像が形成される記録紙上にのみウォーターマークを形成させる請求項１乃至請求項６のいずれかに記載の画像形成システム。
【発明の詳細な説明】
【技術分野】
【０００１】
本発明は、画像形成装置と情報処理装置を、ネットワークを通じて接続してなる画像形成システムに関し、特に、情報処理装置から画像形成装置へと原稿の画像を送信して、画像形成装置により原稿の画像を記録紙に形成する技術に関する。
【背景技術】
【０００２】
画像形成システムとして、コンピューター等の情報処理装置の記憶装置から画像が読み出されて、この画像が情報処理装置からネットワークを通じて画像形成装置へと送信され、この画像が画像形成装置により記録紙に記録されるものが提案されている。
【０００３】
また、特許文献１に記載の画像形成装置では、入力部の操作により画像の挿入位置及び画像の読み取りが指示されると、画像読取部により原稿の画像が読み取られて、この読み取られた原稿の画像がＨＤＤなどに予め記憶されている複数の画像に対してその指示された挿入位置に挿入され、その原稿の画像及びＨＤＤ内の各画像がそれぞれの記録紙に画像形成される。
【先行技術文献】
【特許文献】
【０００４】
【特許文献１】特開２００６−０２００９１号公報
【発明の概要】
【発明が解決しようとする課題】
【０００５】
ところで、上記のような画像形成システムにおいて、複数の第１原稿の画像を情報処理装置から画像形成装置へと送信し、各第１原稿の頁に対して画像形成装置の画像読取部で読み取られた第２原稿の頁を挿入して、各第１原稿の画像及び第２原稿の画像をそれぞれ異なる記録紙に画像形成することができれば、画像形成システムの利便性が向上する。しかしながら、上記特許文献１に記載の画像形成装置では、１つの画像形成装置内での印刷を前提としており、情報処理装置及び画像形成装置を備えた画像形成システムにおいて、情報処理装置から送信した印刷データに、画像形成装置で読み取った原稿の画像を挿入して印刷することを実現させる技術的な記載がない。
【０００６】
本発明は、上記の事情に鑑みなされたものであり、複数の第１原稿の画像を情報処理装置から画像形成装置へと送信し、各第１原稿の頁に対して画像形成装置の画像読取部で読み取られた第２原稿の頁を挿入して、各第１原稿の画像及び第２原稿の画像をそれぞれ異なる記録紙に画像形成可能とすることを目的とする。
【課題を解決するための手段】
【０００７】
本発明の一局面に係る画像形成システムは、画像形成装置と、前記画像形成装置にネットワークを通じて接続される情報処理装置とを備える画像形成システムであって、前記情報処理装置は、ユーザーにより操作されて、複数の第１原稿のいずれかの頁間を第２原稿の頁の挿入位置として受け付ける入力部と、少なくとも前記各第１原稿を示す画像と、前記挿入位置を示す情報とを有する印刷データを生成する第１制御部と、前記印刷データを、前記ネットワークを通じて前記画像形成装置に送信する第１通信部と、を備え、前記画像形成装置は、前記印刷データを受信する第２通信部と、前記第２原稿の画像を読み取る画像読取部と、原稿の画像を記録紙に画像形成する画像形成部と、前記第２原稿の頁を前記印刷データが示す前記挿入位置に挿入させてなる頁順序に従って、前記印刷データが示す前記各第１原稿の画像及び前記画像読取部で読み取られた前記第２原稿の画像の各画像を、前記画像形成部によりそれぞれ異なる記録紙に順次形成させる第２制御部と、を備えるものである。
【発明の効果】
【０００８】
本発明によれば、入力部の操作により画像の挿入位置及び画像の読み取りが指示されると、画像読取部により原稿の画像が読み取られて、この読み取られた原稿の画像がＨＤＤなどに予め記憶されている複数の画像に対してその指示された挿入位置に挿入され、その原稿の画像及びＨＤＤ内の各画像がそれぞれの記録紙に画像形成することができる。
【図面の簡単な説明】
【０００９】
【図１】本発明に係る一実施形態の画像形成システムにおける画像形成装置の構成及び情報処理装置の構成を示すブロック図である。
【図２】情報処理装置の表示部に表示される印刷設定画面を示す図である。
【図３】（ａ）、（ｂ）は、印刷設定画面において各第１原稿の頁間を第２原稿の頁の挿入位置として設定するための手順を示す図である。
【図４】（ａ）、（ｂ）は、印刷設定画面において第２原稿の頁の挿入枚数を設定するための手順を示す図である。
【図５】（ａ）、（ｂ）は、印刷設定画面において第２原稿の頁の挿入枚数を不定数として設定するための手順を示す図である。
【図６】画像形成装置の表示部に表示されるジョブ一覧ボックスを示す図である。
【図７】画像形成装置の表示部に表示されるポップアップ画面の一例を示す図である。
【図８】各第１原稿の頁間に第２原稿の頁を挿入した状態を示す図である。
【図９】画像形成装置の表示部に表示されるポップアップ画面の他の例を示す図である。
【図１０】各第１原稿の頁間に任意の枚数の第２原稿の頁を挿入した状態を示す図である。
【図１１】情報処理装置側で行われる処理手順を示すフローチャートである。
【図１２】画像形成装置側で行われる処理手順を示すフローチャートである。
【図１３】（ａ）、（ｂ）は、第２原稿の画像をコピーするための手順を示す図である。
【図１４】各第１原稿の複数の頁間に、同一の第２原稿の頁をそれぞれ挿入した状態を示す図である。
【図１５】情報処理装置の表示部に表示される印刷設定画面の変形例を示す図である。
【図１６】規定枚数の第１原稿の頁からなるグループ毎に、グループにおける所定の挿入位置に第２原稿の頁を挿入した状態を示す図である。
【図１７】画像形成装置の表示部に表示されるポップアップ画面の変形例を示す図である。
【図１８】第２原稿の画像及びウォーターマークが記録された記録紙を例示する図である。
【発明を実施するための形態】
【００１０】
以下、本発明の実施形態について図面を参照して説明する。
【００１１】
図１は、本発明の一実施形態にかかる画像形成システムにおける画像形成装置の構成及び情報処理装置の構成を示すブロック図である。
【００１２】
本実施形態の画像形成システムＳｙにおいて、画像形成装置１０は、制御ユニット１１と、表示部１２と、操作部１４と、タッチパネル１５と、通信部１６と、画像読取部１７と、画像形成部１８と、記憶部１９とを備えている。これらの構成要素は、互いにバスを通じてデータ又は信号の送受信を可能とされている。
【００１３】
画像読取部１７は、原稿搬送部と、原稿搬送部により搬送される原稿の画像又はコンタクトガラスに載置された原稿の画像を光学的に読み取るスキャナーとを有するＡＤＦ（Auto Document Feeder）であって、原稿の画像を示す画像データを生成する。
【００１４】
画像形成部１８は、感光体ドラム、感光体ドラムの表面を均一帯電させる帯電装置、感光体ドラムの表面を露光して、感光体ドラムの表面に静電潜像を形成する露光装置、感光体ドラムの表面の静電潜像をトナー像に現像する現像装置、及び感光体ドラムの表面のトナー像（画像）を記録紙に転写する転写装置等を備え、画像読取部１７により生成された画像データによって示される画像を記録紙に印刷する。
【００１５】
表示部１２は、液晶ディスプレイ（ＬＣＤ：Liquid Crystal Display）や有機ＥＬ（ＯＬＥＤ：Organic Light-Emitting Diode）ディスプレイなどから構成される。
【００１６】
表示部１２の画面には、タッチパネル１５が配置されている。タッチパネル１５は、所謂抵抗膜方式や静電容量方式などのタッチパネルであって、タッチパネル１５に対するユーザーの指などの接触（タッチ）をその接触位置とともに検知して、その接触位置の座標を示す検知信号を制御ユニット１１の後述する制御ユニット１１などに出力する。従って、タッチパネル１５は、表示部１２の画面に対するユーザー操作が入力される入力部としての役割を果たす。
【００１７】
操作部１４は、例えば、メニューを呼び出すメニューキー、メニューを構成するＧＵＩにおけるフォーカスを移動させる矢印キー、メニューを構成するＧＵＩに対して確定操作を行う決定キー、スタートキーなどを備えている。
【００１８】
通信部１６は、通信モジュールを備える通信インターフェイスであり、ネットワークを通じて情報処理装置３０との間でデータ通信を行う。
【００１９】
記憶部１９は、ＨＤＤ（Hard Disk Drive）などの大容量の記憶装置であって、画像データ等を記憶する。
【００２０】
制御ユニット１１は、プロセッサー、ＲＡＭ(Random Access Memory）、及びＲＯＭ（Read Only Memory）などから構成される。当該プロセッサーは、ＣＰＵ（Central Processing Unit）、ＭＰＵ、ＡＳＩＣ等である。この制御ユニット１１は、上記のＲＯＭまたは記憶部１９に記憶されたプログラムが上記のプロセッサーで実行されることにより、制御部２１として機能する。なお、制御ユニット１１の上記の各構成は、プログラムに基づく動作によらず、それぞれハード回路により構成されてもよい。
【００２１】
制御部２１は、画像形成装置１０の全体的な動作制御を司る。また、制御部２１は、表示部１２を制御して、表示部１２に、画像形成処理に必要な設定項目の入力画面、あるいは情報の入力画面などを表示させる。更に、制御部２１は、通信部１６による通信動作を制御する機能を有する。通信部１６は、制御部２１による制御の下、情報処理装置３０との間でデータを送受する。
【００２２】
一方、本実施形態の画像形成システムＳｙにおいて、情報処理装置３０は、例えば、パーソナルコンピューターなどの情報処理装置であって、制御ユニット３１と、表示部３２と、操作部３３と、記憶部３４と、通信部３５とを備えている。これらの構成要素は、互いにバスを通じてデータ又は信号の送受信を可能とされている。
【００２３】
表示部３２は、液晶ディスプレイ（ＬＣＤ：Liquid Crystal Display）や有機ＥＬ（ＯＬＥＤ：Organic Light-Emitting Diode）ディスプレイなどから構成される。
【００２４】
操作部３３は、キーボードやマウスであり、ユーザーにより操作されて、アプリケーションプログラムの実行に必要な入力指示や種々の情報等の入力を受け付ける。
【００２５】
記憶部３４は、ＨＤＤなどの大容量の記憶装置である。
【００２６】
通信部３５は、通信モジュールを備える通信インターフェイスであり、ネットワークを通じて画像形成装置１０との間でデータ通信を行う。
【００２７】
制御ユニット３１は、プロセッサー、ＲＡＭ(Random Access Memory）、及びＲＯＭ（Read Only Memory）などから構成される。当該プロセッサーは、ＣＰＵ（Central Processing Unit）、ＭＰＵ、ＡＳＩＣ等である。制御ユニット３１は、上記のＲＯＭ又は記憶部３４に記憶された制御プログラムが上記のプロセッサーに実行されることにより、制御部４１（第１制御部）として機能する。なお、制御ユニット３１の上記の各構成要素は、前述の制御プログラムに基づく動作によらず、それぞれハード回路により構成されてもよい。
【００２８】
制御部４１は、情報処理装置３０の全体的な動作制御を司る。制御部４１は、表示部３２を制御して、情報処理に必要な設定項目を表示部３２の画面に表示する。更に、制御部４１は、通信部３５（第１通信部）の通信動作を制御する機能を有する。通信部３５は、制御部４１による制御の下、画像形成装置１０との間でデータを送受する。
【００２９】
このような構成の画像形成システムＳｙにおいて、画像形成装置１０及び情報処理装置３０は、周知の通信プロトコルに従って、相互にデータ通信を行う。
【００３０】
例えば、情報処理装置３０では、制御部４１によりアプリケーションプログラムを実行して、プリンタドライバーを起動させ、操作部３３の操作に基づき、プリンタドライバーにより文書、図形などからなる原稿の画像を示す印刷データを生成し、この印刷データを通信部３５からネットワークを通じて画像形成装置１０へと送信する。
【００３１】
画像形成装置１０では、印刷データを通信部１６で受信すると、制御部２１（第２制御部）により印刷データを解析して、原稿の画像を生成し、画像形成部１８により原稿の画像を記録紙に形成して出力する。
【００３２】
また、本実施形態の画像形成システムＳｙでは、複数の第１原稿の画像を情報処理装置３０から画像形成装置１０へと送信し、画像形成装置１０において、各第１原稿の頁に対して画像形成装置１０の画像読取部１７で読み取られた第２原稿の頁を挿入して、各第１原稿の画像及び第２原稿の画像を画像形成部１８でそれぞれの記録紙に画像形成する。
【００３３】
具体的には、情報処理装置３０では、操作部３３の操作に応じて、印刷対象データとして複数の第１原稿の画像を記憶部３４から読み出すと共に、各第１原稿のいずれかの頁間を第２原稿の頁の挿入位置として設定し、プリンタドライバーにより各第１原稿の画像及び上記挿入位置を示す印刷データを生成して、この印刷データを通信部３５からネットワークを通じて画像形成装置１０へと送信する。
【００３４】
画像形成装置１０では、印刷データを通信部１６（第２通信部）で受信すると、制御部２１により印刷データを解析して、各第１原稿の画像を生成すると共に、上記挿入位置を取得し、また画像読取部１７により第２原稿の画像を読み取らせる。そして、各第１原稿の画像及び第２原稿の画像を画像形成部１８でそれぞれの記録紙に順次形成させ、各第１原稿の画像及び第２原稿の画像形成に際し、第２原稿の頁を、上記挿入位置、つまり情報処理装置３０側で設定された複数の第１原稿のいずれかの頁間に挿入させる。
【００３５】
次に、各第１原稿の頁に対して第２原稿の頁を挿入するために情報処理装置３０側で行われる操作手順について詳しく説明する。
【００３６】
情報処理装置３０では、ユーザーが、操作部３３を操作して、記憶部３４に記憶されている任意のファイルを指示し、このファイルに記憶されている第１原稿の印刷を指示する。制御部４１は、この指示に従って、プリンタドライバーを起動し、図２に示すような印刷データを設定するための印刷設定画面５１を表示部３２に表示させる。
【００３７】
図２に例を示すように、印刷設定画面５１には、複数のタブ５２ａ、…、５２ｉが設けられており、操作部３３を介して、「頁挿入」と印されたタブ５２ｉが選択されると、これを受けて、制御部４１は、各第１原稿の頁間に対して第２原稿の頁を挿入するための頁挿入ウィンドウＷａを印刷設定画面５１内に表示される。この頁挿入ウィンドウＷａには、ファイルに記憶されている複数の第１原稿Ｇ１〜Ｇｎ（例えばｎ＝７）の画像に対応するそれぞれの頁が順次配列されて表示される。
【００３８】
また、各第１原稿Ｇ１〜Ｇｎの頁数が多く、全ての第１原稿の頁を頁挿入ウィンドウＷａに表示することができない場合は、制御部４１による制御の下、スクロールバー５３の操作により頁挿入ウィンドウＷａに表示される各第１原稿の頁を変更して、全ての第１原稿の頁を表示させる。
【００３９】
この状態で、ユーザーは、操作部３３のマウスを操作して、図３（ａ）に示すように印刷設定画面５１の頁挿入ウィンドウＷａ上でカーソルＫを各第１原稿Ｇ２、Ｇ３の頁間に移動させ、ダブルクリックすると、このカーソルＫの位置の頁間を第２原稿ｇの頁の挿入位置として制御部４１が受け付け、制御部４１は、図３（ｂ）に示すように、その挿入位置に第２原稿ｇの頁を挿入させた状態を示す画像を印刷設定画面５１に表示される。
【００４０】
また、ユーザーが操作部３３のマウスの操作によりカーソルＫを各第１原稿Ｇ５、Ｇ６の頁間に移動させ、ダブルクリックすると、制御部４１は、この頁間を、次の第２原稿ｇの頁の挿入位置として受け付け、この挿入位置に次の第２原稿ｇの頁を挿入した状態を示す画像を印刷設定画面５１に表示させる。
【００４１】
以降同様に、ユーザーが操作部３３のマウスの操作により各第１原稿Ｇ１〜Ｇｎの任意の頁間を指定すると、これを受けて制御部４１は、この任意の頁間を次の他の第２原稿ｇの頁の挿入位置として受け付け、この挿入位置に次の他の第２原稿ｇの頁を挿入した状態を示す画像を印刷設定画面５１に表示させる。
【００４２】
このように、制御部４１は、各第１原稿Ｇ１〜Ｇｎの頁間を第２原稿ｇの挿入位置として受け付けると、この挿入位置に第２原稿ｇの頁を挿入した状態を示す画像を印刷設定画面５１に表示させる。
【００４３】
また、例えば図３（ｂ）に示すように、第２原稿ｇの頁が各第１原稿Ｇ２、Ｇ３の頁間に挿入されて表示されている状態で、図４（ａ）に示すように、ユーザーによる操作部３３のマウスの操作で、カーソルＫを第２原稿ｇの頁に移動させてダブルクリックすると、これを受けて制御部４１は、ポップアップ画面Ｐａを表示させる。このポップアップ画面Ｐａには、挿入位置に挿入される第２原稿ｇの枚数を表示する枚数入力欄５４、枚数入力欄５４の枚数を増減させるために操作されるアップダウンボタン５５、キャンセルボタン５６、及びＯＫボタン５７が表示される。枚数入力欄５４には、枚数として初期値「１」が表示される。
【００４４】
制御部４１は、ユーザーによる操作部３３のマウスの操作によりアップダウンボタン５５が操作されると、枚数入力欄５４の枚数表示を増減させ、ＯＫボタン５７が操作されると、枚数入力欄５４に表示させている枚数を各第１原稿Ｇ２、Ｇ３の頁間に挿入される第２原稿ｇの挿入枚数として受け付ける。
【００４５】
また、キャンセルボタン５６が操作されると、制御部４１は、第２原稿ｇの挿入枚数を初期値「１」に維持する。例えば、ユーザーによる操作部３３の操作で、ポップアップ画面Ｐａの枚数入力欄５４の枚数が「１」に設定され、この状態でＯＫボタン５７が操作された場合、制御部４１は、第２原稿ｇの挿入枚数を「１」で受け付け、図４（ｂ）に示すように第２原稿ｇの頁に「ｘ１」を表示させる。
【００４６】
同様に、制御部４１は、第２原稿ｇの頁を各第１原稿Ｇ５、Ｇ６の頁間に挿入して表示させている状態で、ユーザーによる操作部３３のマウスの操作によりカーソルＫが第２原稿ｇの頁に移動されてダブルクリックされるとこれを受けて、制御部４１は、第２原稿ｇの頁に対応するポップアップ画面Ｐａを表示させる。そして、ユーザーによる操作部３３の操作でポップアップ画面Ｐａの枚数入力欄５４の枚数が「３」に設定されてＯＫボタン５７が操作された場合は、制御部４１は、第２原稿ｇの挿入枚数を「３」で受け付け、第２原稿ｇの頁に「ｘ３」を表示させる。
【００４７】
このように、情報処理装置３０では、各第１原稿Ｇ１〜Ｇｎの頁間が挿入位置として設定された後、挿入位置別に、挿入位置に挿入される第２原稿ｇの挿入枚数を指定可能とされている。
【００４８】
一方、図５（ａ）に示すように各第１原稿Ｇ２、Ｇ３の頁間に挿入された第２原稿ｇの頁に対応するポップアップ画面Ｐａが表示されている状態で、ユーザーによる操作部３３の操作でポップアップ画面Ｐａの枚数入力欄５４の枚数が「０」に設定され、ＯＫボタン５７が指示された場合は、制御部４１は、第２原稿ｇの挿入枚数を「０」で受け付け、図５（ｂ）に示すように第２原稿ｇの頁に「ｘ０」を表示させる。
【００４９】
この枚数入力欄５４の枚数「０」及び第２原稿ｇの頁の「ｘ０」は、制御部４１が、挿入位置に挿入される第２原稿ｇの挿入枚数を不定数として受け付けたことを示している。この「不定数」は、画像形成装置１０の画像読取部１７により読み取られた第２原稿の頁分（枚数分）を示すものとする。この例では、画像形成装置１０の画像読取部１７で読み取られた第２原稿の枚数分の各画像が、上記受け付けられた挿入位置に挿入されてなる頁順序に従って、画像形成装置１０において印刷が行われる。すなわち、「不定数」は、画像形成装置１０の画像読取部１７で読み取られた第２原稿の枚数に応じて変動する不定の数値である。
【００５０】
このように印刷設定画面５１においては、記憶部３４に記憶されている複数の第１原稿Ｇ１〜Ｇｎの頁が該各第１原稿Ｇ１〜Ｇｎの頁順に配列されて表示され、各第１原稿Ｇ１〜Ｇｎの頁間が第２原稿ｇの挿入位置として設定され、当該挿入位置に、第２原稿ｇの挿入枚数の指定又は第２原稿ｇの枚数として不定数の指定が受け付けられる。
【００５１】
そして、ユーザーが、操作部３３のマウス及びキーボードを操作して、印刷設定画面５１のジョブ名欄５８にジョブの名称を入力し、更に画像形成装置１０へのジョブの送信の指示を入力すると、プリンタドライバー（制御部４１）は、これら入力内容を受け付けると共に、印刷設定画面５１に基づく操作でユーザーから受け付けた設定内容に基づき、ジョブの名称を示す情報、各第１原稿Ｇ１〜Ｇｎの画像、各第１原稿Ｇ１〜Ｇｎに付された頁番号を示す情報、第２原稿ｇの挿入位置を示す情報、及び挿入位置別の第２原稿ｇの挿入枚数を示す情報、を有する印刷データを生成する。この印刷データは、第２原稿を挿入した上で印刷を行うための印刷データとして、通信部３５から画像形成装置１０に送信される。
【００５２】
次に、各第１原稿の頁に対して第２原稿の頁を挿入するために画像形成装置１０側で行われる操作手順について詳しく説明する。
【００５３】
画像形成装置１０では、通信部１６が、情報処理装置３０からの第２原稿の挿入が必要な上記印刷データを受信すると、制御部２１が、この印刷データをジョブとして、逐次に記憶部１９に記憶させる。そして、ユーザーが、操作部１４を操作して、第２原稿を挿入した印刷を行うために、記憶部１９に記憶されているジョブを示す情報の表示を指示すると、制御部２１は、記憶部１９に記憶されている上記ジョブの全てについての名称を、図６に示すようなジョブ一覧ボックス６１として、表示部１２の画面に一覧表示させる。ここでは、当該ジョブ毎に、ジョブの名称、及び挿入される第２原稿の総枚数を示す数値Ｍが表示される。ジョブの名称は、情報処理装置３０において印刷設定画面５１のジョブ名欄５８に記入されたジョブの名称と同一とされる。また、挿入される第２原稿の総枚数Ｍは、印刷データによって示される各挿入位置に設定された第２原稿の挿入枚数の合計である。
【００５４】
例えば、図６に示すように、ジョブの名称として、「原稿挿入０１」及び「原稿挿入０２」が表示される。ここでは、「原稿挿入０１」に対応する第２原稿の合計枚数Ｍが「５」であり、「原稿挿入０２」に対応する第２原稿の総枚数Ｍが上記不定数である例を示す。この不定数は「−−」として表示される。
【００５５】
また、ジョブ一覧ボックス６１には、印刷データの印刷の指示を受け付けるための印刷ボタン６２、及び印刷データの削除の指示を受け付けるための削除ボタン６３などが表示される。
【００５６】
ユーザーは、ジョブ一覧ボックス６１を見て、所望のジョブを選択可能であり、例えばジョブの名称「原稿挿入０１」のジョブを選択すると、「原稿挿入０１」に対応する第２原稿の合計枚数Ｍが「５」となっていることから、５枚の第２原稿の頁が挿入されることを知ることができる。ユーザーは、５枚の第２原稿を画像読取部１７の原稿搬送部にセットして、印刷ボタン６２を操作すればよいことを把握可能である。
【００５７】
そして、ユーザーが印刷ボタン６２を操作した場合、印刷ボタン６２の操作に応答して、制御部２１は、画像読取部１７にその原稿搬送部により各第２原稿を順次搬送させて、スキャナーにより各原稿の画像を順次読み取らせ、読み取られた各第２原稿の画像を記憶部１９に記憶させる。このように原稿読取を開始させたとき、制御部２１は、図７に例を示すようなポップアップ画面Ｐｂを表示させる。制御部２１は、このポップアップ画面Ｐｂに、「原稿挿入０１」に対応する第２原稿の合計枚数Ｍ（＝５）、及び画像読取部１７により読み取り済みの第２原稿の枚数を表示させる。
【００５８】
そして、制御部２１は、画像形成部１８に、ジョブの名称「原稿挿入０１」の印刷データによって示される各第１原稿Ｇ１〜Ｇｎの画像及び画像読取部１７により読み取られた５枚の第２原稿の画像をそれぞれ異なる記録紙に順次画像形成を行わせる。このとき、制御部２１は、各第１原稿Ｇ１〜Ｇｎの画像及び５枚の第２原稿の画像の記録に際し、選択された「原稿挿入０１」が示すジョブ（すなわち、印刷データ）によって示される挿入位置毎に、当該ジョブ（印刷データ）によって示される挿入枚数の第２原稿の頁を挿入位置に挿入して頁順序を決定する。
【００５９】
例えば、図４（ｂ）に示すように、ユーザーにより選択された「原稿挿入０１」が示すジョブ（印刷データ）により、各第１原稿Ｇ２、Ｇ３の頁間が挿入位置として指定され、かつ第２原稿ｇの枚数として「１」が指定されている場合は、制御部２１は、図８に示すように各第１原稿Ｇ２、Ｇ３の頁間に１枚目の第２原稿ｇの頁を挿入する。また、図４（ｂ）に示すように各第１原稿Ｇ５、Ｇ６の頁間が挿入位置として指定され、かつ第２原稿ｇの枚数として「３」が指定されている場合は、制御部２１は、図８に示すように各第１原稿Ｇ５、Ｇ６の頁間に２枚目〜４枚目の第２原稿ｇの頁を挿入する。同様に、各第１原稿Ｇ６、Ｇ７の頁間が挿入位置として指定され、かつ第２原稿ｇの枚数として「１」が指定されている場合は、制御部２１は、図８に示すように各第１原稿Ｇ６、Ｇ７の頁間に５枚目の第２原稿ｇの頁を挿入する。
【００６０】
制御部２１が、このように作成したページ順序に従って、上記のように配列した第１原稿及び第２原稿の各画像を画像形成部１８に画像形成させることで、図８に示すように、各第１原稿Ｇ１〜Ｇｎの画像及び５枚の第２原稿ｇの画像が、それぞれ異なる記録紙に順次画像形成されて、これらの記録紙が画像形成部１８から順次排出されることになる。
【００６１】
次に、ユーザーが、ジョブ一覧ボックス６１を見て、操作部１４の操作により、例えばジョブの名称「原稿挿入０２」を選択した場合を説明する。「原稿挿入０２」に対応する第２原稿の合計枚数Ｍは「−−」となっていることから、第２原稿の頁が不定数であることを知る。この場合、ユーザーは、任意の枚数の第２原稿を画像読取部１７の原稿搬送部にセットして、印刷ボタン６２を、操作部１４を介して操作する。
【００６２】
この印刷ボタン６２の操作に応答して、制御部２１は、画像読取部１７のスキャナーに、画像読取部１７の原稿搬送部にセットされた全ての第２原稿の画像を順次読み取らせる。画像読取部１７の原稿搬送部には、セットされた原稿の有無を検出するセンサーが設けられており、このセンサーにより原稿無しが検出されるまで、制御部２１は、原稿搬送部による原稿の搬送及びスキャナーによる原稿の画像の読み取りを繰り返して行わせる。このとき、制御部２１は、表示部１２に、図９に示すようにポップアップ画面Ｐｃを表示させる。このポップアップ画面Ｐｃには、画像読取部１７により読み取られている第２原稿の挿入位置が表示される。
【００６３】
ここで、例えば印刷データによって、図５（ｂ）に示すように各第１原稿Ｇ２、Ｇ３の頁間が挿入位置として指定され、かつ第２原稿ｇの枚数として「０」が指定されている場合、制御部２１は、図１０に示すように各第１原稿Ｇ２、Ｇ３の頁間に、上記画像読取部１７により読み取られた全ての第２原稿の頁を挿入する。
【００６４】
制御部２１が、このように作成したページ順序に従って、上記のように配列した第１原稿及び第２原稿の各画像を画像形成部１８に画像形成させることで、図１０に示すように、各第１原稿Ｇ１〜Ｇｎの画像及び読み取られた全頁の第２原稿の画像が、それぞれ異なる記録紙に順次画像形成されて、これらの記録紙が画像形成部１８から順次排出されることになる。当該画像形成の終了後、制御部２１は、ポップアップ画面Ｐｃを非表示にする。
【００６５】
次に、各第１原稿の頁に対して第２原稿の頁を挿入するために情報処理装置３０側で行われる処理手順を、図１１のフローチャート等を参照して説明する。
【００６６】
まず、ユーザーが、操作部３３を操作して、印刷対象データとしての第１原稿を指定して印刷の指示を入力すると、この指示に従って、制御部４１は、印刷対象データとしての第１原稿のデータを記憶部３４から読み出すと共に、プリンタドライバーを起動させる（Ｓ１０１）。
【００６７】
また、制御部４１は、図２に示す印刷設定画面５１を表示部３２に表示させて、上記第１原稿、ここでは複数の第１原稿Ｇ１〜Ｇｎの画像に対応するそれぞれの頁を配列表示させる（Ｓ１０２）。
【００６８】
そして、ユーザーが、操作部３３のマウスを操作してカーソルＫを頁挿入ウィンドウＷａにおける、例えば各第１原稿Ｇ２、Ｇ３の頁間に移動させてダブルクリックすると、これに応じて、制御部４１は、その挿入位置を受け付けると共に、第２原稿ｇの頁を挿入した状態を示す画像（第２原稿を示すものとして用意された仮想的な画像）を印刷設定画面５１に表示させる（Ｓ１０３）。
【００６９】
続いて、ユーザーが、操作部３３のマウスを操作して、カーソルＫを第２原稿ｇの頁に移動させてダブルクリックすると、これに応じて、制御部４１は、ポップアップ画面Ｐａを表示させる。この状態で、ユーザーが、操作部３３のマウスを操作してカーソルＫを移動させ、ポップアップ画面Ｐａのアップダウンボタン５５及びＯＫボタン５７を操作することで、この第２原稿ｇの位置に挿入する原稿の挿入枚数が入力されると、制御部４１は、当該入力された挿入枚数を受け付ける。
【００７０】
例えば、制御部４１は、表示部３２に、図４（ｂ）に示すように挿入枚数「１」を示す「ｘ１」を第２原稿ｇの頁に表示させたり、挿入枚数「３」を示す「ｘ３」を第２原稿ｇの頁に表示させたり、図５（ｂ）に示すように挿入枚数が不定数であることを示す「ｘ０」を第２原稿ｇの頁に表示させたりする（Ｓ１０４）。
【００７１】
これらのＳ１０３、Ｓ１０４の処理は、任意の回数だけ繰り返すことができ、これにより各第１原稿Ｇ１〜Ｇｎの頁間が第２原稿の挿入位置として制御部４１に受け付けられる。これにより、制御部４１には、受け付けられた挿入位置毎に、挿入位置に挿入される第２原稿の枚数が受け付けられ、又は第２原稿の枚数として不定数が受け付けられる。
【００７２】
この後、ユーザーが、操作部３３を操作して、印刷設定画面５１のジョブ名欄５８にジョブの名称を記入して、ジョブの送信を指示すると、プリンタドライバー（制御部４１）は、印刷設定画面５１の設定内容に基づき、ジョブの名称を示す情報、各第１原稿Ｇ１〜Ｇｎの画像、各第１原稿Ｇ１〜Ｇｎの頁番号を示す情報、第２原稿の挿入位置を示す情報、及び挿入位置別に第２原稿の挿入枚数を示す情報、を有する印刷データ、つまり第２原稿を挿入した印刷を行うための印刷データを生成する。制御部４１は、この印刷データを通信部１６からネットワークを通じて画像形成装置１０へと送信させる（Ｓ１０５）。
【００７３】
次に、各第１原稿の頁に対して第２原稿の頁を挿入するために画像形成装置１０側で行われる処理手順を、図１２のフローチャートなどを参照して説明する。
【００７４】
画像形成装置１０では、第２原稿を挿入した印刷を行うための上記印刷データを通信部１６が受信すると、制御部２１は、この印刷データをジョブとして記憶部１９に記憶させる（Ｓ２０１）。そして、ユーザーが、操作部１４を操作して、第２原稿を挿入した印刷を行うために、記憶部１９に記憶されているジョブを示す情報の表示を指示すると、制御部２１は、記憶部１９に記憶されている上記ジョブの全てについての名称を、図６に示すようなジョブ一覧ボックス６１として、表示部１２の画面に一覧表示させる（Ｓ２０２）。
【００７５】
そして、ユーザーが、ジョブ一覧ボックス６１を見て、表示部１２の画面上で、例えばジョブの名称「原稿挿入０１」をタッチ操作して、このタッチ操作がタッチパネル１５を通じて操作受付部２２で受付けられると、制御部２１は、ジョブの名称「原稿挿入０１」に対応する印刷データの選択を受け付ける（Ｓ２０３）。
【００７６】
また、ユーザーは、ジョブ一覧ボックス６１を見て、「原稿挿入０１」に対応する第２原稿の合計枚数Ｍ（＝５）を確認し、５枚の第２原稿を画像読取部１７にセットして、印刷ボタン６２をタッチ操作する。このタッチ操作がタッチパネル１５を通じて制御部２１が受付けると、制御部２１は、画像読取部１７により５枚の第２原稿の画像を順次読み取らせて、５枚の第２原稿の画像を記憶部１９に記憶させる（Ｓ２０４）。
【００７７】
そして、制御部２１は、上記選択されたジョブとしての印刷データが示す各第１原稿Ｇ１〜Ｇｎの各頁番号を示す情報、第２原稿ｇの挿入位置を示す情報、及び挿入位置別の第２原稿ｇの枚数を示す情報に基づき、図８に示すような各第１原稿Ｇ１〜Ｇｎの頁間に５枚の各第２原稿ｇの頁を挿入してなる該各頁の頁順序を作成し、この頁順序に従って、上記選択されたジョブとしての印刷データによって示される各第１原稿Ｇ１〜Ｇｎの画像及び画像読取部１７により読み取られた５枚の第２原稿ｇの画像を記憶部１９を逐次読み出して、画像形成部１８に逐次入力させる。画像形成部１８は、各第１原稿Ｇ１〜Ｇｎの画像及び５枚の各第２原稿ｇの画像が逐次入力される度に、各原稿の画像をそれぞれ異なる記録紙に逐次形成して（Ｓ２０５）、当該画像形成後の各記録紙を排出する。
【００７８】
これにより、印刷データによって示される挿入位置別に、印刷データによって示される挿入枚数の第２原稿ｇの頁が挿入されて、図８に示すように各第１原稿Ｇ１〜Ｇｎの画像及び５枚の第２原稿の画像ｇが配列され、これらの原稿の画像がそれぞれの記録紙に記録されて、これらの記録紙が画像形成部１８から順次排出される。
【００７９】
あるいは、ユーザーが、ジョブ一覧ボックス６１を見て、ジョブの名称「原稿挿入０２」をタッチ操作した場合は、このタッチ操作がタッチパネル１５を通じて制御部２１で受付けられると、制御部２１は、ジョブの名称「原稿挿入０２」に対応する印刷データの選択を受け付ける（Ｓ２０３）。また、ユーザーは、ジョブ一覧ボックス６１を見て、「原稿挿入０２」に対応する第２原稿の合計枚数Ｍが「−−」であることを確認し、任意の枚数の第２原稿を画像読取部１７にセットして、印刷ボタン６２をタッチ操作する。このタッチ操作がタッチパネル１５を通じて制御部２１で受付けられると、制御部２１は、セットされた全ての第２原稿の画像を画像読取部１７で順次読み取らせて、任意の枚数の第２原稿の画像を記憶部１９に記憶させる（Ｓ２０４）。
【００８０】
この場合、制御部２１は、ジョブの名称「原稿挿入０２」の印刷データによって示される各第１原稿Ｇ１〜Ｇｎの画像のうちの、印刷データによって示される最初の挿入位置手前までの幾つかの第１原稿の画像を記憶部１９から逐次読み出して、これらの第１原稿の画像を画像形成部１８に順次入力し、続いて画像読取部１７により読み取られた全枚数分の第２原稿の画像を記憶部１９から読み出して、これらの第２原稿の画像を画像形成部１８に順次入力する。従って、画像形成部１８は、印刷データによって示される各第１原稿Ｇ１〜Ｇｎの画像のうちの、印刷データによって示される最初の挿入位置手前までの各第１原稿の画像をそれぞれの記録紙に順次形成し、続いて画像読取部１７により読み取られた全ての第２原稿の画像を記憶部１９から読み出してそれぞれの記録紙に形成し（S２０５）、これらの記録紙を順次排出する。
【００８１】
これにより、選択されたジョブとしての印刷データが示す挿入位置毎に、印刷データによって示される不定数の第２原稿ｇの頁が挿入されて、図１０に示すように各第１原稿Ｇ１〜Ｇｎの画像及び任意の枚数の第２原稿ｇの画像が配列され、これらの原稿の画像がそれぞれの記録紙に記録されて、これらの記録紙が画像形成部１８から順次排出される。これにより、ユーザーは、第１原稿に挿入する第２原稿の枚数を特に指定しなくても、画像形成装置１０の画像読取部１７に読み取らせた任意の枚数の原稿の画像を第２原稿として、第１原稿の間に挿入した印刷物が得られることになる。
［変形例１］
【００８２】
変形例１は、画像形成装置１０の制御部２１が、同一の第２原稿ｇの頁を、各第１原稿Ｇ１〜Ｇｎの複数の頁間にそれぞれ割り振って挿入して、上記頁順序を作成するものである。
【００８３】
まず、情報処理装置３０では、制御部４１が、例えば図１３（ａ）に示すように印刷設定画面５１の頁挿入ウィンドウＷａを表示部３２に表示させている状態で、ユーザーが操作部３３のマウスを操作してカーソルＫを各第１原稿Ｇ２、Ｇ３の頁間に移動させてダブルクリックすると、これを受けて、制御部４１が、各第１原稿Ｇ２、Ｇ３の頁間を第２原稿ｇの頁の挿入位置として受け付ける。制御部４１は、この挿入位置に第２原稿ｇの頁を示す画像を表示させる。
【００８４】
また、ユーザーがマウスの操作によりカーソルＫを各第１原稿Ｇ５、Ｇ６の頁間に移動させてダブルクリックすると、これを受けて、制御部４１が、各第１原稿Ｇ５、Ｇ６の頁間を第２原稿ｇの頁の挿入位置として受け付ける。制御部４１は、この挿入位置に第２原稿ｇの頁を示す画像を表示させる。そして、ユーザーがマウスの操作によりカーソルＫを各第１原稿Ｇ５、Ｇ６の頁間の第２原稿ｇの頁に移動させて例えば右クリックすると、これを受けて、制御部４１は、図１３（ｂ）に例を示すようなポップアップ画面Ｐｄを表示させる。このポップアップ画面Ｐｄには、コピー元の第２原稿ｇの頁として、１枚目の第２原稿ｇ、２枚目の第２原稿ｇ、…などが表示される。そして、ユーザーがマウスの操作によりカーソルをポップアップ画面Ｐｄにおける１枚目の第２原稿ｇの欄に移動させてダブルクリックすると、これ基づいて、制御部４１が、１枚目の第２原稿ｇの画像を各第１原稿Ｇ５、Ｇ６の頁間の第２原稿ｇの画像としてコピーする指示を受け付ける。これにより、制御部４１に、１枚目の第２原稿ｇの画像を各第１原稿Ｇ５、Ｇ６の頁間にも挿入する指示が受け付けられる。
【００８５】
この場合、プリンタドライバー（制御部４１）は、印刷設定画面５１における設定内容に基づき、ジョブの名称を示す情報、各第１原稿Ｇ１〜Ｇｎの画像、各第１原稿Ｇ１〜Ｇｎの頁番号を示す情報、第２原稿ｇの挿入位置を示す情報、及び挿入位置別に設定されたコピー元となる第２原稿ｇの別を示す情報、を有する印刷データを生成する。この印刷データは、制御部４１による制御で、通信部３５から、第２原稿ｇの挿入が必要な印刷データとして、画像形成装置１０に送信される。
【００８６】
画像形成装置１０では、通信部１６が上記印刷データを受信すると、制御部２１が当該印刷データをジョブとして記憶部１９に記憶させ、この印刷データに対応するジョブの名称をジョブ一覧ボックス６１として表示部１２に表示させる。このとき、ユーザーが、操作部１４を操作して、印刷させたい所望の印刷データに対応するジョブの名称を選択し、更に、第２原稿ｇを画像読取部１７にセットして、印刷ボタン６２を操作して印刷指示を入力すると、制御部２１は、当該選択及び印刷指示に基づいて、上記選択されたジョブとしての印刷データによって示される各第１原稿Ｇ１〜Ｇｎの頁を示す情報、第２原稿ｇの挿入位置を示す情報、及び挿入位置別に設定されたコピー元となる第２原稿ｇを示す情報に基づき、図１４に示すように、第１原稿Ｇ１〜Ｇｎの頁間にそれぞれ同一の第２原稿ｇの頁を挿入してなる頁順序を作成する。
【００８７】
制御部２１は、作成した当該頁順序に従って、上記選択されたジョブとしての印刷データによって示される各第１原稿Ｇ１〜Ｇｎの画像及び画像読取部１７により読み取られた第２原稿ｇの画像を記憶部１９から順次読み出すと共に、１枚目の第２原稿ｇの画像を、各第１原稿Ｇ２、Ｇ３の頁間の挿入位置及び各第１原稿Ｇ５、Ｇ６の頁間の挿入位置に挿入し、これら各画像を画像形成部１８に逐次入力する。画像形成部１８は、各第１原稿Ｇ１〜Ｇｎの画像、画像読取部１７により読み取られた第２原稿ｇの画像が逐次入力されてくる度に、原稿の画像を記録紙に逐次形成して、これらの記録紙を順次排出する。
【００８８】
この結果、図１４に示すように各第１原稿Ｇ２、Ｇ３の頁間の挿入位置及び各第１原稿Ｇ５、Ｇ６の頁間の挿入位置に、１枚目の第２原稿ｇが挿入される。すなわち、ユーザーが、画像形成装置１０の画像読取部１７に、複数枚の原稿を読み取らせた場合であっても、第１枚目として読み取られた原稿の画像が、ユーザーにより指定された第１原稿間の複数の挿入位置に挿入された印刷物を得ることができる。
［変形例２］
【００８９】
変形例２は、各第１原稿Ｇ１〜Ｇｎを一定数の頁からなるグループに区切って、グループにおける規定の頁間を第２原稿ｇの頁の挿入位置として設定し、グループ毎に、その挿入位置に第２原稿ｇの頁を挿入するものである。
【００９０】
情報処理装置３０では、制御部４１は、例えば図１５に示すような印刷設定画面５１Ｂを表示部３２に表示させる。この印刷設定画面５１Ｂにおいて、ユーザーによる操作部３３の操作で「頁挿入」と印されたタブ５２ｉが選択されると、これを受けて、制御部４１は、各第１原稿の画像に対して第２原稿の画像を挿入するための頁挿入ウィンドウＷｂを表示させる。制御部４１は、この頁挿入ウィンドウＷｂとして、第１原稿Ｇの頁及び第２原稿ｇの頁を配列させるメインウィンドウｗ１と、第１原稿Ｇの頁及び第２原稿ｇの頁を表示したサブウインドウｗ２とに２分割させた設定画面を表示部３２に表示させる。
【００９１】
ここで、ユーザーが操作部３３のマウスを操作することにより、例えばサブウインドウｗ２内に表示される第１原稿Ｇをメインウィンドウｗ１にドラッグアンドドロップし、この操作を４回繰り返すと、制御部４１は、例えば４枚の第１原稿Ｇａ〜Ｇｄをメインウィンドウｗ１に配列させる指示を受け付ける。この４枚の第１原稿Ｇａ〜Ｇｄが一定数の頁からなるグループとなる。
【００９２】
また、ユーザーが操作部３３のマウスを操作して、サブウインドウｗ２の第２原稿ｇをメインウィンドウｗ１にドラッグアンドドロップすると、制御部４１は、第２原稿ｇの頁を各第１原稿Ｇａ〜Ｇｄの任意の頁間に挿入する指示を受け付ける。この任意の頁間が、グループにおける第２原稿ｇの挿入位置となる。例えば、当該操作により、各第１原稿Ｇａ、Ｇｂの頁間及び各第１原稿Ｇｃ、Ｇｄの頁間がグループにおける第２原稿ｇの挿入位置として制御部４１に受け付けられる。
【００９３】
そして、プリンタドライバー（制御部４１）は、印刷設定画面５１Ｂにおける設定内容に基づき、ジョブの名称を示す情報、各第１原稿Ｇ１〜Ｇｎの画像、４枚の第１原稿Ｇａ〜Ｇｄからなるグループを示す情報、グループにおける第２原稿ｇの挿入位置を示す情報、及び挿入位置別に設定された第２原稿ｇの挿入枚数を示す情報、を有する印刷データを生成する。この印刷データは、第２原稿ｇを挿入して印刷を行うための印刷データとして、通信部３５から画像形成装置１０に送信される。
【００９４】
画像形成装置１０では、通信部１６が当該印刷データを受信すると、制御部２１が当該印刷データをジョブとして記憶部１９に記憶させる。そして、制御部４１は、記憶されている各ジョブの名称をジョブ一覧ボックス６１に表示させる。そして、ユーザーが、その印刷データに対応するジョブを選択し、また複数の第２原稿ｇを画像読取部１７にセットして、印刷ボタン６２を操作すると、制御部２１は、この操作により入力指示を受け付けて、画像形成部１８に、上記選択されたジョブとしての印刷データによって示される各第１原稿Ｇ１〜Ｇｎの画像及び画像読取部１７により読み取られた各第２原稿ｇの画像をそれぞれの記録紙に順次形成する。このとき、制御部２１は、各第１原稿Ｇ１〜Ｇｎを４枚ずつの複数グループに区分して、例えば４枚の第１原稿Ｇ１〜Ｇ４からなるグループにおける４枚の第１原稿Ｇａ〜Ｇｄに対応付け、次の４枚の第１原稿Ｇ５〜Ｇ８をグループにおける４枚の第１原稿Ｇａ〜Ｇｄに対応付ける。そして、制御部２１は、図１６に示すように４枚の第１原稿Ｇ１〜Ｇ４からなるグループにおいては、各第１原稿Ｇ１、Ｇ２の頁間に１枚目と２枚目の第２原稿ｇを挿入し、各第１原稿Ｇ３、Ｇ４の頁間に３枚目の第２原稿ｇを挿入する。また、制御部２１は、次の４枚の第１原稿Ｇ５〜Ｇ８からなるグループにおいては、各第１原稿Ｇ５、Ｇ６の頁間に４枚目と５枚目の第２原稿ｇを挿入し、各第１原稿Ｇ７、Ｇ８の頁間に６枚目の第２原稿ｇを挿入する。このように、本実施形態では、一定の第１原稿の枚数毎にグループを区切り、当該グループに対してユーザーにより指定された挿入位置に第２原稿を挿入し、当該区切りにより作成されたいずれのグループにおいても、同一の挿入位置に第２原稿を挿入する。これにより、ユーザーは、一定枚数からなる印刷物の各束のそれぞれに、同じ挿入位置に所望の印刷物を挿し入れた各束を得ることが可能になる。
［変形例３］
【００９５】
上記実施形態では、画像読取部１７の原稿搬送部を利用しているため、複数枚の第２原稿ｇを原稿搬送部にセットして、これらの第２原稿ｇを原稿搬送部により順次搬送させ、これらの第２原稿ｇの画像をスキャナーにより逐次読み取らせることができる。
【００９６】
変形例３では、第２原稿ｇを画像読取部１７のコンタクトガラスに載せて、第２原稿ｇの画像を画像読取部１７のスキャナーにより読み取ることを前提とする。この場合、複数枚の第２原稿ｇを読み取るためには、ユーザーが、複数枚の第２原稿ｇをコンタクトガラスに逐次載せかえる必要がある。
【００９７】
例えば、図６に示すようにジョブ一覧ボックス６１が表示されている状態で、ユーザーは、ジョブの名称「原稿挿入０１」を選択し、「原稿挿入０１」に対応する第２原稿の合計枚数Ｍ（＝５）を確認して、１枚目の第２原稿ｇを画像読取部１７のコンタクトガラスに載せて、印刷ボタン６２を操作したとする。この場合、コンタクトガラス上の第２原稿ｇがセンサーにより検出されるため、このセンサーの検出出力に基づき、制御部２１は、画像読取部１７にコンタクトガラス上の１枚目の第２原稿ｇの画像を読み取らせ、この１枚目の第２原稿ｇの画像を記憶部１９に記憶させる。
【００９８】
この画像読取終了時に、制御部２１は、図１７に例を示すようなポップアップ画面Ｐｅを表示部１２に表示させる。このポップアップ画面Ｐｅには、各第１原稿Ｇ１〜Ｇｎの頁間に挿入される第２原稿の合計枚数Ｍ（＝５）、画像読取部１７により読み取り済みの第２原稿の枚数、継続ボタン６５、及び終了ボタン６６が表示される。
【００９９】
ユーザーが、２枚目の第２原稿ｇをコンタクトガラスに載せて、継続ボタン６５にタッチ操作すると、これを受けて、制御部２１は、画像読取部１７にコンタクトガラス上の２枚目の第２原稿ｇの画像を読み取らせて、この２枚目の第２原稿ｇの画像を記憶部１９に記憶させる。制御部２１は、読み取り済みの第２原稿の枚数を更新し、更新した値をポップアップ画面Ｐｅに表示させる。以降同様に、コンタクトガラス上の第２原稿ｇを載せかえて、継続ボタン６５にタッチ操作すると、制御部２１は、画像読取部１７に第２原稿ｇの画像を読み取らせて記憶部１９に記憶させる。そして、５枚目の第２原稿ｇの画像の読み取り及び記憶が終了すると、制御部２１は、ポップアップ画面Ｐｅを非表示にする。
【０１００】
第２原稿の合計枚数Ｍ（＝−−）が不定数の場合も、制御部２１は、同様の手順で、任意の枚数の第２原稿ｇの画像を読み取って記憶させ、終了ボタン６６をタッチ操作することにより任意の枚数の第２原稿ｇの画像の読み取り及び記憶を終了させて、ポップアップ画面Ｐｅを消去する。
【０１０１】
制御部２１は、こうして記憶させた第２原稿ｇの画像を、図１２のフローチャートにおけるＳ２０４の処理で、各第１原稿Ｇ１〜Ｇｎの頁間の挿入位置に適宜挿入する画像として用いる。
［変形例４］
【０１０２】
変形例４では、例えば図１８に示すように、制御部２１は、画像形成部１８に、第２原稿ｇの画像が形成される記録紙Ｐの上端右側に半透明のウォーターマーク６８を形成させる。これにより、各第１原稿Ｇ１〜Ｇｎの画像が記録されたそれぞれの記録紙と第２原稿ｇの画像が記録された記録紙を識別することが可能となる。例えば記憶部１９にウォーターマーク６８を示す画像が記憶されており、制御部２１は、当該ウォーターマーク６８を示す画像を読み出して、画像形成部１８により第２原稿ｇが形成された記録紙Ｐに対して画像形成させる。なお、制御部２１は、当該ウォーターマーク６８を示す画像を、第２原稿ｇが形成された記録紙Ｐに対してのみ画像形成させることが好ましい。
【０１０３】
また、図１乃至図１８を用いて説明した上記実施形態の構成及び処理は、本発明の一実施形態に過ぎず、本発明を当該構成及び処理に限定する趣旨ではない。
【符号の説明】
【０１０４】
１０          画像形成装置
１１、３１    制御部ユニット
１２、３２    表示部
１４、３３    操作部
１５          タッチパネル
１６、３５    通信部
１７          画像読取部
１８          画像形成部
１９、３４    記憶部
２１、４１    制御部
【図１】
2018064213.tif 000003
【図２】
2018064213.tif 000004
【図３】
2018064213.tif 000005
【図４】
2018064213.tif 000006
【図５】
2018064213.tif 000007
【図６】
2018064213.tif 000008
【図７】
2018064213.tif 000009
【図８】
2018064213.tif 000010
【図９】
2018064213.tif 000011
【図１０】
2018064213.tif 000012
【図１１】
2018064213.tif 000013
【図１２】
2018064213.tif 000014
【図１３】
2018064213.tif 000015
【図１４】
2018064213.tif 000016
【図１５】
2018064213.tif 000017
【図１６】
2018064213.tif 000018
【図１７】
2018064213.tif 000019
【図１８】
2018064213.tif 000020